(57)【要約】【課題】遊技者の正面に視点があっても、多重像を確実に視認することが可能で、遊技機の装飾効果を向上させることを可能にした多重像表示装置を提供する。【解決手段】多重像表示装置は、文字や絵等の図柄を投影可能な光源の前方に、所定の間隔を保って少なくとも２以上のハーフミラー（２２Ｍ，２３Ｍ）が向き合わせて配置される。ハーフミラー（２２Ｍ，２３Ｍ）のうち、少なくとも一つは、凹面または凸面を有する変形ハーフミラーになっている。図柄形状の光は、ハーフミラー（２２Ｍ，２３Ｍ）を透過して実物を表示するともに、各ハーフミラー（２２Ｍ，２３Ｍ）間で反射して実物とズレた位置に虚像を形成する。遊技者の正面側には、実物と虚像からなる多重像が見える。【選択図】      図７
2004154192.tif 000002
【特許請求の範囲】
【請求項１】
文字や絵等の図柄を投影可能な光源の前方に、所定の間隔を保って少なくとも２以上のハーフミラーを向き合わせて配置し、前記図柄の透過光と反射光とにより多重像を表示するようにした多重像表示装置において、前記ハーフミラーのうち、少なくとも一つが凹面または凸面を有する変形ハーフミラーであることを特徴とする多重像表示装置。
【発明の詳細な説明】
【０００１】
【発明の属する技術分野】
本発明は、多重像表示装置に関するもので、例えば、パチンコ機、スロットマシン等の遊技機の装飾に適用されるものである。
【０００２】
【従来の技術】
遊技機には、遊技者を視覚的に楽しませるための種々の装飾が施される。このような装飾技術として、従来、文字や絵などの図柄をハーフミラーによって反射させて投影することにより、遊技盤上に多重像を表示するようにした多重像表示装置が知られている。
多重像表示装置の構成としては、例えば、図柄形状の光を発する光源の前方に第１ハーフミラーを設け、この第１ハーフミラーの前方に所定の間隔を保って第２ハーフミラーを向き合わせる。遊技者は、光源から第１ハーフミラーおよび第２ハーフミラーを通して直接送られる透過光によって実物を視認するとともに、第１ハーフミラーと第２ハーフミラーとの間で反射した反射光によって虚像を視認する。これにより、図柄を多重像として捉えるようになっている（特許文献１および２参照）。
【０００３】
【特許文献１】
特公昭６０−４６９９４号公報
【特許文献２】
特開２００１−２３１９６１号公報
【０００４】
【発明が解決しようとする課題】
しかしながら、このような多重像表示装置は、ハーフミラーに平面構造のものが採用されているために、遊技者の視点の位置によっては、多重像が全く見えない死角を生じることがある。例えば、光源の前方に第１ハーフミラーおよび第２ハーフミラーが平行に配置されている場合、光源の正面側であって第１ハーフミラーおよび第２ハーフミラーに垂直な直線上に視点があると、実物と虚像とが重なってしまうために、多重像が見えない。このため、遊技機の装飾効果を十分に高められないといった問題があった。
【０００５】
本発明は、このような現状に鑑みなされたもので、遊技者の正面に視点があっても、多重像を確実に視認することが可能で、遊技機の装飾効果を向上させることを可能にした多重像表示装置を提供することを目的としている。
【０００６】
【課題を解決するための手段】
前記課題を解決するための本発明（第１発明）による多重像表示装置は、文字や絵等の図柄を投影可能な光源の前方に、所定の間隔を保って少なくとも２以上のハーフミラーを向き合わせて配置し、前記図柄の透過光と反射光とにより多重像を表示するようにした多重像表示装置において、前記ハーフミラーのうち、少なくとも一つが凹面または凸面を有する変形ハーフミラーであることを特徴としている。
本発明において、ハーフミラーとは、光の一部をそのまま透過させ、残りの光を鏡面によって反射させるものである。ハーフミラーの反射率と透過率が等しい場合の他、反射率よりも透過率の方が大きい場合またはその逆の場合も含む。
【０００７】
本発明によれば、文字や絵等の図柄がハーフミラーに投影されると、各ハーフミラーで反射されずにそのまま通過した光（透過光）が光源の実物として正面の遊技者に視認される。一方、各ハーフミラーによって反射した光（反射光）は、変形ハーフミラーの凹面または凸面によって実物の光とは異なる方向に進み、虚像として遊技者に視認されることになる。これにより、遊技者が図柄の真正面に視点をもっていても、実物と虚像とをズレた位置に見ることができ、奥行きのある立体的な多重像を視認することが可能になる。
【０００８】
本発明で重要な点は、変形ハーフミラーの鏡面が凹面または凸面である点にある。凹面または凸面とは、平面が撓んだ状態の面をいい、球面、円筒面、角筒面、円錘面、角錐面等が含まれる。これらの鏡面のうち、特に望ましいのは、凹面または凸面が球面である場合である。球面ハーフミラーを採用すると、実物に対し、上下左右および斜め方向に均等に拡大または縮小する虚像を形成することができ、実物と虚像が重なりにくく、多重像を鮮明かつ確実に視認しやすくなるからである。なお、実物と虚像との関係については、後述する発明の実施形態において詳述する。
【０００９】
本発明（第２発明）による多重像表示装置は、前記光源が図柄表示板に光を透過させて前記図柄を投影するものであって、前記図柄表示板には、光源からの照射光を拡散して前記図柄の形状の光を浮かび上がらせる光拡散部を設けたことを特徴としている。
【００１０】
本発明に採用する光源としては、例えば、特定図柄の形状に合わせて発光ダイオード等の高輝度ランプを複数並べて配置するものが考えられる。しかしながら、このように複数の光源を並べて配置するものでは、図柄の輪郭がぼけやすく、多重像を視認しにくくなることがある。
本発明（第２発明）によれば、図柄表示板に図柄形状の拡散光が形成される。すなわち、図柄表示板が図柄形状の面状発光体となり、その輪郭がよりシャープなものになる。この結果、多重像が視認しやすくなり、装飾効果が極めて高いものになる。
【００１１】
本発明（第３発明）による多重像表示装置は、前記変形ハーフミラーを可撓性材料で形成するとともに、この変形ハーフミラーを撓み変形可能に支持し、かつ支持間隔を自在に調節可能な支持間隔調節手段を設けることを特徴としている。
【００１２】
変形ハーフミラーを採用する場合、その撓み具合によって多重像のピッチや形状が変化する。すなわち、鏡面の撓みが小さければ実物および虚像間のそれぞれのズレ間隔が小さくなり、また鏡面の撓みが大きければその逆の現象が生じる。
本発明（第３発明）によれば、変形ハーフミラーが支持間隔調節手段によって撓みの程度を変化させる。つまり、変形ハーフミラーの支持間隔が小さくなれば撓み具合が大きくなり、逆に支持間隔が大きくなれば撓み具合が小さくなる。これによって多重像を多彩に形成することが可能になる。
【００１３】
本発明（第４発明）による多重像表示装置は、前記ハーフミラーのうち少なくとも一のハーフミラーに、鏡面の傾斜角を振り子状に変化させる角度調節手段を設けたことを特徴としている。
【００１４】
各ハーフミラーが一定の間隔で固定されている場合、多重像が一様なものになり、新鮮さに欠けるようになることもある。
本発明（第４発明）によれば、ハーフミラーのうち少なくとも一つが角度調節手段によって振り子状に動き、鏡面の傾斜角が変化する。これにより、虚像の表示位置を鏡面の傾斜角に応じて自在にズラすることが可能になり、多重像の見え方をより多彩にすることができる。
また、遊技者の視点の位置をセンサ等で検知し、多重像がより鮮明に見えるようにハーフミラーの傾斜角を制御するようにすることもできる。
【００１５】
前記課題を解決するための本発明による遊技機は、前記多重像表示装置を備えたことを特徴としている。
本発明の遊技機によれば、前述したように、遊技盤の正面に文字や絵などの図柄を多重像として表示することができる。これにより、遊技機の装飾効果が格段に向上し、より斬新で遊技性の高い装飾を実現することが可能になる。
なお、遊技機の種類は特に限定されず、パチンコ機、スロットマシン、アレンジボール機、雀球機等の各種遊技機に本発明を適用することが可能である。
【００１６】
【発明の実施の形態】
以下、本発明の実施の形態を図面に基づいて説明する。
第１実施形態による多重表示装置の構成を図１〜図４に示す。
図２は、本発明の多重表示装置を適用したパチンコ機の遊技盤を正面から見た図である。図２に示すように、パチンコ機１０は、遊技盤の中央に抽選図柄表示パネル１５が設けられている。球案内レール１２と１３との間に球発射用通路Ｓ１が形成される。球発射用通路Ｓ１に連なる遊技領域Ｓ２には、風車１６、始動口１７、アタッカ装置１８、ゲート口１９等が設けられている。遊技領域Ｓ２で遊技球が始動口１７に入賞すると、抽選図柄表示パネル１５の図柄が各種の表示に切り替わるようになっている。そして、抽選図柄表示パネル１５の上部に多重像表示装置２０が配置されている。
【００１７】
図１に示すように、多重像表示装置２０は、筒形のハウジング２１に前板２２、後板２３、スペーサ２４および図柄表示板２５が収納される。図柄表示板２５の後方には発光ダイオード等からなる光源が設けられる。光源から照射される光が図柄表示板２５、後板２３、前板２２を透過してハウジング２１の前方に見えるようになっている。
【００１８】
図３および図４に多重像表示装置２０の正面図および断面図を示した。
図４に示すように、ハウジング２１内に前板２２、後板２３、スペーサ２４および図柄表示板２５が順に組み付けられている。前板２２の外周端には、筒部２２ａが後方に向けて延びている。この筒部２２ａによって前板２２と後板２３との間に一定の間隔が保たれる。また、後板２３と図柄表示板２５との間には、スペーサ２４が挟まれており、このスペーサ２４によって一定の間隔が保たれている。
【００１９】
前板２２および後板２３は、樹脂やガラス等の透光性材料からなるもので、互いに向き合う面に鏡面が設けられている。前板２２の鏡面は、中央から外側に行くに従ってしだいに後方側に傾斜する凹面ハーフミラー２２Ｍである。後板２３の鏡面は平面ハーフミラー２３Ｍである。これにより、凹面ハーフミラー２２Ｍと平面ハーフミラー２３Ｍとの間で光が反射し合ってその反射光の一部が多重表示装置２０の正面に見えることになる。
【００２０】
凹面ハーフミラー２２Ｍと平面ハーフミラー２３Ｍは、例えば反射率と透光率が５０％程度のハーフミラーフィルムが透明なプレート（前板２２または後板２３）に貼り付けられることで形成される。また、アクリル等の透明な樹脂プレート（前板２２または後板２３）の表面に金属薄膜が蒸着、スパッタリング等によって設けられることによって形成されてもよい。
【００２１】
図柄表示板２５には、遮蔽材料からなる板面の中央部に「Ｖ」の文字を象った透光性かつ光拡散機能を備える光拡散部２６が設けられている。光拡散部２６は、図柄表示板２５の厚み方向に貫通するように設けられている。光源からの光が図柄表示板２５の後方に照射されると、光拡散部２６が受けた光を面状に拡散して透過し、図柄表示板２５に「Ｖ」の文字が浮かび上がる。これにより、多重像表示装置２０の正面側に図柄表示板２５の「Ｖ」字形の面状の光が表示されるようになっている。
【００２２】
次に、多重像が形成される原理について図５〜図１０に従って説明する。
前板２２、後板２３および図柄表示板２５の位置関係を図５に示した。遊技者の視点の前方に前板２２、後板２３および図柄表示板２５が直線上に並んでいる。光源から照射される光は、図柄表示板２５の光拡散部２６を通過して「Ｖ」字形に面状発光し、図５に矢印で示すように、平面ハーフミラー２３Ｍ、凹面ハーフミラー２２Ｍを順に透過して遊技者に視認される。
【００２３】
ここで、凹面ハーフミラー２２Ｍおよび平面ハーフミラー２３Ｍの入射光および反射光の光路を分かりやすくするため、図６に示すように、凹面ハーフミラー２２Ｍが円筒面になっているものとして説明する。なお、円筒面の円弧方向をｘ軸、軸方向をｙ軸で示す。
【００２４】
まず、図７に示すように、凹面ミラー２２Ｍの撓み（ｘ軸）が図柄「Ｖ」に対して左右方向に生じている場合、光拡散部２６を通過して表示される図柄「Ｖ」の左右および中間の各点をＬ０、Ｍ０、Ｒ０とすると、それぞれＬ０、Ｍ０、Ｒ０から平面ハーフミラー２３Ｍおよび凹面ハーフミラー２２Ｍを順に透過する光は、遊技者にそのまま視認される。すなわち、この透過光が光拡散部２６の実物の像として遊技者に捉えられることになる。
【００２５】
一方、Ｌ０、Ｍ０、Ｒ０から放たれる光のうち、図７で矢印ａに示す方向に向かう光は、凹面ハーフミラー２２Ｍに対し等しい入射角と反射角をもって反射し、矢印ｂに示すように平面ハーフミラー２３Ｍに向かう。そして、平面ハーフミラー２３Ｍに対し等しい入射角と反射角を保って反射し、凹面ハーフミラー２２Ｍを透過する。すなわち、この反射光が第１の虚像として遊技者に視認される。
同様に、凹面ハーフミラー２２Ｍと凸面ハーフミラー３２Ｍとの間でそれぞれ等しい入射角と反射角の関係を保ちながら繰り返し反射し合う光の一部は、凹面ハーフミラー２２Ｍを透過することで、第２、第３…の虚像として遊技者に視認されることになる。
【００２６】
この結果、本実施形態では、図８に示すように、Ｌ０、Ｍ０、Ｒ０を結ぶ実物の左右方向の外側に、Ｌ１、Ｍ０、Ｒ１を結ぶ第１の虚像、Ｌ２、Ｍ０、Ｒ２を結ぶ第２の虚像…（第３の虚像以降の図示省略）が拡大しながら重なる多重像Ｇ１が遊技者に見える。
【００２７】
次に、図９に示すように、凹面ミラー２２Ｍの撓み（ｘ軸）が図柄「Ｖ」に対して上下方向に生じている場合には、図柄「Ｖ」の上下および中間の各点をＴ０、Ｍ０、Ｂ０とすると、それぞれＴ０、Ｍ０、Ｂ０から平面ハーフミラー２３Ｍおよび凹面ハーフミラー２２Ｍを順に透過する光は、遊技者に直接視認され、この透過光が光拡散部２６の実物の像として遊技者に捉えられる。
【００２８】
一方、Ｔ０、Ｍ０、Ｂ０から放たれる光のうち、図９で矢印ａに示す方向に向かう光は、凹面ハーフミラー２２Ｍに対し等しい入射角と反射角をもって反射し、矢印ｂに示すように平面ハーフミラー２３Ｍに向かう。そして、平面ハーフミラー２３Ｍに対し等しい入射角と反射角を保って反射した光が、凹面ハーフミラー２２Ｍを透過し、第１の虚像として遊技者に視認される。
同様に、凹面ハーフミラー２２Ｍと平面ハーフミラー２３Ｍとの間でそれぞれ等しい入射角と反射角の関係を保ちながら繰り返し反射し合う光の一部は、凹面ハーフミラー２２Ｍを透過することで、第２、第３…の虚像として遊技者に視認される。
【００２９】
この結果、本実施形態では、図１０に示すように、Ｔ０、Ｍ０、Ｂ０を結ぶ実物の上下方向の外側に、Ｔ１、Ｍ０、Ｂ１を結ぶ第１の虚像、Ｔ２、Ｍ０、Ｂ２を結ぶ第２の虚像…が拡大しながら重なる多重像Ｇ２が遊技者に見えることになる。
【００３０】
図５〜図１０では、凹面ハーフミラー２２Ｍが円筒面になっている場合に限定して説明したが、円筒面が球面やドーム面であるときも、同様な原理によって多重像が遊技者の正面に視認される。すなわち、実物の外側に第１の虚像、第２の虚像…の輪郭が拡大する奥行き感のある、より複雑な多重像が形成される。
【００３１】
このように多重像表示装置２０によれば、凹面ハーフミラー２２Ｍと平面ハーフミラー２３Ｍとを組み合わせることによって遊技者の正面に立体感のある多重像を見せることができる。
また、多重像表示装置２０では、図柄表示板２５から図柄「Ｖ」を面状発光させるため、実物および虚像の輪郭がはっきりし、多重像をより鮮明にすることが可能になる。
【００３２】
次に、本発明の他の実施形態を説明する。以下に説明する他の実施形態において前記第１実施形態と同一の構成部分には同一の符号を付す。
【００３３】
本発明の第２実施形態を図１１に示す。
第２実施形態は、凹面ハーフミラーに代えて、凸面ハーフミラーを採用したものである。
図１１に示すように、多重像表示装置３０は、前板３２の後方側の面に、中央から外側に行くに従ってしだいに前方側に傾斜する凸面ハーフミラー３２Ｍが設けられている。凸面ハーフミラー３２Ｍと平面ハーフミラー２３Ｍとが互いに向き合っている。図柄表示板２５の後方に光が照射されると、平面ハーフミラー２３Ｍおよび凸面ハーフミラー３２Ｍを透過する光が実物を表示し、これらのハーフミラー間の反射光が虚像を形成する。
【００３４】
第２実施形態によれば、平面ハーフミラー２３Ｍの前方に凸面ハーフミラー３２Ｍが設けられるため、図柄表示板２５の光拡散部２６から放たれる光の一部が、凸面ハーフミラー３２Ｍと平面ハーフミラー２３Ｍと間で反射し合って、実物の透過光よりも内側に入った位置から遊技者の正面の視点に向かう。この結果、実物の内側にしだいに縮小するように第１の虚像、第２の虚像…がズレた多重像が遊技者の正面に視認されることになる。
【００３５】
本発明の第３実施形態を図１２に示す。
第３実施形態は、凸面ハーフミラーと平面ハーフミラーの位置を入れ替えたものである。
図１２に示すように、多重像表示装置４０は、前板４２の後方側の面に平面ハーフミラー４２Ｍが設けられる。後板４３の前面側には凸面ハーフミラー４３Ｍが設けられている。平面ハーフミラー４２Ｍと凸面ハーフミラー４３Ｍが互いに向き合っている。図柄表示板２５から放たれる光は、凸面ハーフミラー４３Ｍおよび平面ハーフミラー４２Ｍを透過して実物を表示するとともに、平面ハーフミラー４２Ｍと凸面ハーフミラー４３Ｍと間で反射し合って虚像を形成する。これにより、遊技者の正面に多重像を視認させることが可能になる。
なお、第３実施形態においても、平面ハーフミラー４２Ｍと凸面ハーフミラー４３Ｍとが向き合う位置関係は、前記第２実施形態と同様な位置関係であるので、実物の内側に第１の虚像、第２の虚像…がズレて重なった多重像が遊技者の正面に視認されることになる。
【００３６】
本発明の第４実施形態を図１３に示す。
第４実施形態は、錘面ハーフミラーを採用したものである。
図１３に示すように、多重像表示装置５０は、前板５２の後方側の面に多角錐面状の錘面ハーフミラー５２Ｍが設けられる。錘面ハーフミラー５２Ｍは、中央から外側に行くに従ってしだいに後方側に傾斜している。後板２３Ｍの前面側には、錘面ハーフミラー５２Ｍと向き合う平面ハーフミラー２３Ｍが設けられている。図柄表示板２５から放たれる光は、平面ハーフミラー２３Ｍおよび錘面ハーフミラー５２Ｍを透過して実物を表示するとともに、錘面ミラー５２Ｍと平面ハーフミラー２３Ｍとの間で反射し合って虚像を形成する。
第４実施形態によれば、錘面ハーフミラー５２Ｍの反射光によって虚像が多角形状に変化するため、より多彩な多重像を遊技者の正面に見せることが可能になる。
【００３７】
本発明の第５実施形態を図１４に示す。
第５実施形態は、平面ハーフミラーの傾斜角を変更可能にしたものである。
図１４に示すように、多重像表示装置６０は、スペーサ２４の内側に支軸６２によって後板６３が回動自在に取り付けられている。後板６３の前面側には、平面ハーフミラー６３Ｍが設けられる。前板２２Ｍには、平面ハーフミラー６３Ｍと向き合う凹面ハーフミラー２２Ｍが設けられている。支軸６２には、後板６３を振り子状に回動させるサーボモータ等の駆動手段が取り付けられ、平面ハーフミラー６３Ｍの傾斜角を自在に調節することが可能になっている。
【００３８】
第５実施形態によると、平面ハーフミラー６３Ｍが垂直な位置に設定される場合には、前述した第１実施形態と同様な多重像を形成することができる。図１４二点鎖線に示すように、平面ハーフミラー６３Ｍの傾斜角を変更すると、凹面ハーフミラー２２Ｍと平面ハーフミラー６３Ｍとの間の入射光および反射光の光路が変化し虚像の位置が上下方向にズレる。これにより、より多彩な多重像を遊技者の正面に見せることができる。
【００３９】
本発明の第６実施形態を図１５に示す。
第６実施形態は、平面ハーフミラーの撓みを調節可能にしたものである。
図１５に示すように、多重像表示装置７０は、後板７３の前方側の側面に鏡面として平面ハーフミラー７３Ｍが設けられている。後板７３は、可撓性を有する材料で形成されている。前板２３の後方側の面には、平面ハーフミラー７３Ｍと向き合う凹面ハーフミラー２２Ｍが設けられている。
スペーサ２４の内側には、支軸７７、７８によって後板７３の端部が支持される。支軸７７、７８には、支軸間の距離を調節可能なサーボモータ等の駆動手段が取り付けられる。図１５の状態から支軸７７、７８間の距離を近づけると、図１５二点鎖線に示すように、後板７３ひいては平面ハーフミラー７３Ｍが凸面状に撓むようになっている。
【００４０】
第６実施形態によると、図１５実線に示すように、平面ハーフミラー７３Ｍが撓んでいない場合には、凹面ハーフミラー２２Ｍと平面ハーフミラー７３Ｍによって前記第１実施形態と同様な多重像を形成することができる。
図１５二点鎖線に示すように、平面ハーフミラー７３Ｍが撓んで凸面に変化すると、これによって凹面ハーフミラー２２Ｍと、凸面に変化した平面ハーフミラー７３Ｍとの間で反射光の光路が変化する。これにより、より多彩で変化に富んだ多重像を正面の遊技者に見せることが可能になる。
【００４１】
前記第１実施形態〜第６実施形態を説明したが、本発明の実施形態はこれらに限定されることなく、種々の変更が可能である。例えば、変形ハーフミラーおよび平面ハーフミラーの位置や数、形状、組み合わせ等については、遊技機の仕様等によって適宜変更することができる。
【００４２】
また、前記実施形態では、遊技機の抽選図柄表示パネルの装飾部に多重像表示装置を採用したが、遊技機のその他の部分に多重像表示装置を採用してもよい。例えば、役物の装飾部として役物周辺に配置して機種名の文字を表したり、役物内の特定入賞口の直ぐ近くに配置して特定入賞口であることを目立たせるのに利用することができる。また、抽選図柄表示パネルの図柄表示に本発明による多重像表示装置を採用してもよい。
さらに、前記実施形態による多重像表示装置において、光源の点灯タイミングを遊技機の入賞時や大当たり時に連動させてもよい。例えば、大当たり時のみに多重像を遊技者に見せることで、遊技者に大当たりの実感を湧かせやすくし、遊技性を高めるようにしてもよい。
【００４３】
【発明の効果】
以上説明したように、本発明の多重像表示装置によれば、次のような優れた効果を奏する。
（ａ）  遊技者の正面に鮮明な多重像を確実に視認させることができる。
（ｂ）  遊技機に立体感のある多彩な多重像を表示することで、遊技性を高めることができる。
（ｃ）  複雑な画像処理技術を利用しないため、導入コストが少なくて済む。
【図面の簡単な説明】
【図１】本発明の第１実施形態による多重像表示装置を示す組立分解斜視図である。
【図２】本発明の第１実施形態による遊技機を示す正面図である。
【図３】本発明の第１実施形態による多重像表示装置を示す正面図である。
【図４】図３に示すＩＶ−ＩＶ線断面図である。
【図５】本発明の第１実施形態による多重像表示装置の作用を説明するための模式図である。
【図６】図５に示す凹面ハーフミラーの撓みを説明するための斜視図である。
【図７】本発明の第１実施形態による実物と虚像との関係を説明するための模式図である。
【図８】図７の実物および虚像が形成する多重像を示す正面図である。
【図９】本発明の第１実施形態による実物と虚像との関係を説明するための模式図である。
【図１０】図９の実物および虚像が形成する多重像を示す正面図である。
【図１１】本発明の第２実施形態による多重像表示装置を示す断面図である。
【図１２】本発明の第３実施形態による多重像表示装置を示す断面図である。
【図１３】本発明の第４実施形態による多重像表示装置を示す断面図である。
【図１４】本発明の第５実施形態による多重像表示装置を示す断面図である。
【図１５】本発明の第６実施形態による多重像表示装置を示す断面図である。
【符号の説明】
１０    パチンコ機（遊技機）
２０    多重像表示装置
２１    ハウジング
２２    前板
２２Ｍ  凹面ハーフミラー（変形ハーフミラー）
２３    後板
２３Ｍ  平面ハーフミラー
２４    スペーサ
２５    図柄表示板
２６    光拡散部
Ｇ１、Ｇ２  多重像
【図１】
2004154192.tif 000003
【図２】
2004154192.tif 000004
【図３】
2004154192.tif 000005
【図４】
2004154192.tif 000006
【図５】
2004154192.tif 000007
【図６】
2004154192.tif 000008
【図７】
2004154192.tif 000009
【図８】
2004154192.tif 000010
【図９】
2004154192.tif 000011
【図１０】
2004154192.tif 000012
【図１１】
2004154192.tif 000013
【図１２】
2004154192.tif 000014
【図１３】
2004154192.tif 000015
【図１４】
2004154192.tif 000016
【図１５】
2004154192.tif 000017